(57)【要約】      （修正有）【課題】建具の上部に設置される収納部が変形しにくい、建具および収納部を備える建築物用コンポーネントを提供する。【解決手段】建築物用コンポーネント１は建築物１００に設置される枠１０と、枠１０に形成される出入口１０Ａに設けられる建具２０と、建具２０の上方に設けられる収納部３０とを備える。枠１０を構成する縦枠１１は収納部３０の側壁３１を支持するため、収納部に収納される物品の荷重が縦枠により受けられ、収納部が変形しにくい。【選択図】図１
2019060069.tif 000002
【特許請求の範囲】
【請求項１】
建築物に設置される枠と、
前記枠に形成される出入口に設けられる建具と、
前記建具の上方に設けられる収納部とを備え、
前記枠を構成する縦枠は前記収納部の側壁を支持する
建築物用コンポーネント。
【請求項２】
前記収納部の側壁は前記縦枠と一体化している
請求項１に記載の建築物用コンポーネント。
【請求項３】
前記収納部の底壁は前記枠を構成する上枠と一体化している
請求項１または２に記載の建築物用コンポーネント。
【請求項４】
前記収納部の奥行きは前記枠の奥行きよりも広い
請求項１〜３のいずれか一項に記載の建築物用コンポーネント。
【請求項５】
前記収納部の最大幅は前記枠の最大幅と等しい
請求項１〜４のいずれか一項に記載の建築物用コンポーネント。
【請求項６】
前記建具は前記建築物の第１空間に面する第１面、および、前記出入口に対して前記第１空間とは反対側の第２空間に面する第２面を含み、
前記収納部の背壁は前記収納部内の空間に面する第１背面、および、前記第２空間に面する第２背面を含み、
前記第２背面は前記建具の前記第２面と同様の外観を有する
請求項１〜５のいずれか一項に記載の建築物用コンポーネント。
【発明の詳細な説明】
【技術分野】
【０００１】
本発明は建具および収納部を備える建築物用コンポーネントに関する。
【背景技術】
【０００２】
収納スペースを確保するため、建具の上部に設置される収納部が知られている。例えば、洗面所の出入口に設置される建具の上部には、洗面所で使用されるタオル等の生活用品が収納される。
【先行技術文献】
【非特許文献】
【０００３】
【非特許文献１】ＳＵＶＡＣＯ株式会社、“ドアの上のデッドスペースに収納する”、［online］、［平成２９年９月１８日検索］、〈URL：https://suvaco.jp/doc/towels-151126〉
【発明の概要】
【発明が解決しようとする課題】
【０００４】
収納部に収納される物品の量が多い場合、収納部が変形するおそれがある。
【課題を解決するための手段】
【０００５】
(１)本発明に関する建築物用コンポーネントは建築物に設置される枠と、前記枠に形成される出入口に設けられる建具と、前記建具の上方に設けられる収納部とを備え、前記枠を構成する縦枠は前記収納部の側壁を支持する。
上記建築物用コンポーネントによれば、収納部に収納される物品の荷重が縦枠により受けられるため、収納部が変形しにくい。
【０００６】
(２)好ましい例では(１)に記載の建築物用コンポーネントにおいて、前記収納部の側壁は前記縦枠と一体化している。
このため、収納部の剛性が高くなる。
【０００７】
(３)好ましい例では(１)または(２)に記載の建築物用コンポーネントにおいて、前記収納部の底壁は前記枠を構成する上枠と一体化している。
このため、収納部の剛性が高くなる。
【０００８】
(４)好ましい例では(１)〜(３)のいずれか一項に記載の建築物用コンポーネントにおいて、前記収納部の奥行きは前記枠の奥行きよりも広い。
このため、収納部内の空間の容積が広くなる。
【０００９】
(５)好ましい例では(１)〜(４)のいずれか一項に記載の建築物用コンポーネントにおいて、前記収納部の最大幅は前記枠の最大幅と等しい。
このため、収納部内の空間の容積が広くなる。
【００１０】
(６)好ましい例では(１)〜(５)のいずれか一項に記載の建築物用コンポーネントにおいて、前記建具は前記建築物の第１空間に面する第１面、および、前記出入口に対して前記第１空間とは反対側の第２空間に面する第２面を含み、前記収納部の背壁は前記収納部内の空間に面する第１背面、および、前記第２空間に面する第２背面を含み、前記第２背面は前記建具の前記第２面と同様の外観を有する。
このため、第２空間から建具を見た場合に収納部の背壁の第２背面が建具の一部を構成しているように視認される可能性が高くなる。これにより、建具の高さが実際の高さよりも高く認識されることが期待できる。
【発明の効果】
【００１１】
本発明に関する建築物用コンポーネントによれば、収納部が変形しにくい。
【図面の簡単な説明】
【００１２】
【図１】壁に設置された実施形態の建築物用コンポーネントの正面図。
【図２】図１の建築物用コンポーネントの背面図。
【図３】図１のＤ３−Ｄ３線に沿う断面図。
【図４】図１の収納部の分解斜視図。
【図５】図１の建築物用コンポーネントの分解斜視図。
【発明を実施するための形態】
【００１３】
図１に示される建築物用コンポーネント１は建築物１００の屋内に設置される。建築物１００の一例は個別住宅または集合住宅である。建築物１００に形成される第１室１１０(図３参照)と第２室１２０(図３参照)とは壁１３０により区画されている。第１室１１０の一例は１日の生活において一時的に居住者が活動のために利用する室である。具体的な例として洗面所、トイレ、脱衣所、および、ウォークインクローゼットが挙げられる。第２室１２０の一例は居住者がくつろぐために利用する室である。具体的な例としてリビング、ダイニング、および、寝室が挙げられる。壁１３０は複数の縦桟１３１、複数の横桟１３２、および、ボード(図示略)により構成されている。建築物用コンポーネント１は壁１３０に設置されている。
【００１４】
近年では、建築物１００に対して収納スペースをできるだけ多く確保することが望まれている。収納スペースを確保する手段としては、収納のための専用の室を建築物１００内に設ける方法、および、建築物１００の構造から生じるデッドスペースを収納スペースとして利用する方法等が挙げられる。後者の方法によれば、建築物１００内の様々な場所に存在するデッドスペースが収納スペースに置換され、室と比較して小型の収納スペースが建築物１００内の様々な場所に設けられる。このため、収納のための専用の室を設ける方法と比較して、物品の収納に関する利便性が高められる。なお、収納のための専用の室を設ける方法によれば、デッドスペースを収納スペースとして利用する場合には収納できない大型の物品を収納できる等の利点がある。
【００１５】
建築物用コンポーネント１は上述のようなデッドスペースを収納スペースとして利用する方法を実現できるように構成されている。一例では、建築物用コンポーネント１を構成する主な要素は枠１０、建具２０、および、収納部３０である。枠１０は三方枠または四方枠である。図示される枠１０は一対の縦枠１１および上枠１２により構成される三方枠である。枠１０は壁１３０に設けられる開口１３３に設置される。枠１０の内側には第１室１１０と第２室１２０とを繋げる出入口１０Ａが形成されている。建具２０は片開きの開き戸である。建具２０は出入口１０Ａを開閉できるように一方の縦枠１１に連結されている。建具２０を縦枠１１に連結する手段の一例はヒンジである。建具２０は建築物１００の第１空間１１０Ａに面する第１面２１、および、出入口１０Ａに対して第１空間１１０Ａとは反対側の第２空間１２０Ａに面する第２面２２を備える。
【００１６】
建具２０と天井１００Ａとの間に形成されるデッドスペースを収納スペースとして利用できるように、建具２０の上方に収納部３０が設けられている。収納部３０は物品を収納できるように構成された箱である。居住者がくつろぐために利用する第２室１２０(図２参照)に収納部３０が設置された場合、居住者に圧迫感を与えるおそれがある。このため、好ましい例では、居住者が活動するために利用する第１室１１０に収納部３０が設置される。なお、収納部３０の設置箇所は例示した箇所に限らず任意に選択できる。居住者が必要とする場合には、居住者がくつろぐために利用する第１室１１０に収納部３０が設置される。
【００１７】
図４および図５に示されるように、収納部３０を構成する主な要素は一対の側壁３１、上壁３２、底壁３３、背壁３４、および、扉３５である。物品を収納する収納空間３０Ａ(図３参照)を形成する箱が構成されるように各側壁３１、上壁３２、底壁３３、および、背壁３４が結合手段により結合されている。結合手段の一例はねじ、接着剤、および、凹凸により構成される嵌合構造である。各壁３１〜３４により構成される箱の開口３０Ｂを開閉できるように各側壁３１に扉３５が連結されている。扉３５は観音開き戸である。側壁３１と扉３５とを連結する手段の一例はヒンジである。縦枠１１および側壁３１は隣り合う縦桟１３１（図１参照）に結合手段により結合されている。上壁３２は天井１００Ａの桟(図示略)に結合手段により結合されている。
【００１８】
好ましい例では、収納空間３０Ａの容積は収納部３０の設置箇所に応じて決められる。多数の物品を収納する必要性が高い箇所に収納部３０が設置される場合、収納空間３０Ａの容積が広くなるように収納部３０が構成される。第１室１１０が洗面所であり、収納部３０が第１室１１０に設置される場合、収納空間３０Ａに収納される物品の一例はタオル、シャンプー、リンス、ボディソープ、および、衣類である。収納空間３０Ａの容積は収納部３０の幅、高さ、および、奥行きの少なくとも１つを変更することにより調節できる。収納部３０の幅は、例えば収納部３０の幅方向における一方の側壁３１の内面と他方の側壁３１の内面との距離により規定される。収納部３０の高さは、例えば収納部３０の高さ方向における上壁３２の内面と底壁３３の内面との距離により規定される。収納部３０の奥行きは、例えば収納部３０の奥行き方向における開口３０Ｂと背壁３４の内面との距離により規定される。図３に示されるように、収納部３０の奥行きＬＡは縦枠１１の奥行きＬＢよりも広い。図１に示されるように、収納部３０の最大幅ＸＡは枠１０の最大幅ＸＢと等しい。このため、収納部３０が幅方向において枠１０から飛び出さない範囲で収納空間３０Ａの容積が最も広くなる。
【００１９】
建築物用コンポーネント１は収納部３０の剛性を高めるための補強構造を備えている。補強構造は収納部３０と枠１０との一体化により実現されている。一例では、補強構造には次のような構成が含まれる。一方の側壁３１は一方の縦枠１１と一体化している。他方の側壁３１は他方の縦枠１１と一体化している。以下では、縦枠１１および側壁３１により構成された部材を合成縦枠ＦＡと称する。合成縦枠ＦＡは側壁３１が縦枠１１により下方から支持されるように構成されている。下方向に作用する荷重に強い縦枠１１が側壁３１を下方から支持するため、収納部３０の剛性が高められる。これにより、収納空間３０Ａに収納された物品の重量が大きい場合でも収納部３０の変形が抑制される。また、収納部３０の自重による経年的な変形も抑制される。底壁３３は上枠１２と一体化している。以下では、上枠１２および底壁３３により構成された部材を合成上枠ＦＢと称する。各縦枠１１に連結される上枠１２と底壁３３とが一体化しているため、収納部３０の剛性が一層高められる。
【００２０】
図３に示されるように、収納部３０は開口３０Ｂが第１室１１０の第１空間１１０Ａに位置するように配置される。収納部３０の背壁３４の内面である第１背面３４Ａは収納空間３０Ａに面する。収納部３０の背壁３４における第１背面３４Ａとは反対側の面である第２背面３４Ｂは第２空間１２０Ａに面する。第２背面３４Ｂは建具２０の第２面２２と同様の外観を有する。一例では、第２背面３４Ｂの色および模様は建具２０の第２面２２の色および模様と同様である。このため、第２空間１２０Ａから建具２０を見た場合に収納部３０の背壁３４の第２背面３４Ｂが建具２０の一部を構成しているように視認される可能性が高くなる。これにより、建具２０の高さが実際の高さよりも高く認識されることが期待できる。
【００２１】
建築物用コンポーネント１の設置方法の一例について説明する。第１工程では、合成縦枠ＦＡおよび上壁３２が互いに結合されることにより、各側壁３１と一体化した枠１０が製造される。第２工程では、枠１０が壁１３０の開口１３３に設置される。具体的には、合成縦枠ＦＡが縦桟１３１と結合され、上壁３２が天井１００Ａと結合される。第３工程では、収納部３０が構成されるように枠１０の各側壁３１に底壁３３、背壁３４、および、扉３５が結合される。第４工程では、建具２０が縦枠１１に取り付けられる。
【００２２】
建築物用コンポーネント１によれば、次のような作用および効果が得られる。収納部３０に収納される物品の荷重が縦枠１１により受けられるため、収納部３０が変形しにくい。また、側壁３１が縦枠１１により支持されるため、収納部３０を固定するための壁１３０および天井１００Ａの下地補強を省略して建築物用コンポーネント１を壁１３０に設置した場合でも、収納部３０の剛性が確保される。このため、建築物用コンポーネント１の設置作業を簡略化できる。
【００２３】
(変形例)
上記実施形態は本発明に関する建築物用コンポーネントが取り得る形態の例示であり、その形態を制限することを意図していない。本発明に関する建築物用コンポーネントは実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００２４】
・合成縦枠ＦＡの構成は任意に変更可能である。第１例では、縦枠１１と側壁３１とが結合手段で結合されることにより合成縦枠ＦＡが構成される。第２例では、実施形態の合成縦枠ＦＡに別の縦枠が結合手段で結合されることにより合成縦枠ＦＡが構成される。別の縦枠は実施形態の合成縦枠ＦＡを補強する役割を有する。
【００２５】
・合成上枠ＦＢの構成は任意に変更可能である。第１例では、上枠１２と底壁３３とが結合手段で結合されることにより合成上枠ＦＢが構成される。第２例では、実施形態の合成上枠ＦＢに別の上枠が結合手段で結合されることにより合成上枠ＦＢが構成される。別の上枠は実施形態の合成上枠ＦＢを補強する役割を有する。
【００２６】
・収納部３０の構成は任意に変更可能である。第１例では、収納部３０は棚が設けられた箱である。第２例では、収納部３０は一対の側壁３１および底壁３３により構成される棚である。
【００２７】
・収納部３０の最大幅ＸＡは任意に変更可能である。第１例では、収納部３０の最大幅ＸＡは枠１０の最大幅ＸＢよりも広い。この場合、側壁３１には縦枠１１と繋がる基礎部、および、縦枠１１に対して幅方向の外側に飛び出るように基礎部と繋がる側壁部を含む。一方の側壁３１の側壁部と他方の側壁３１の側壁部との間に収納部３０の開口３０Ｂが形成される。この例によれば、収納部３０の容積が一層広くなる。第２例では、収納部３０の最大幅ＸＡは枠１０の最大幅ＸＢよりも狭い。この場合、側壁３１には縦枠１１と繋がる基礎部、および、縦枠１１に対して幅方向の内側に飛び出るように基礎部と繋がる側壁部を含む。一方の側壁３１の側壁部と他方の側壁３１の側壁部との間に収納部３０の開口３０Ｂが形成される。この例によれば、収納部３０に収容される物品の量が少なくなり、縦枠１１にかかる負荷が軽減される。
【００２８】
・建具２０である戸の種類は任意に変更可能である。変更可能な戸の例は、両開きの開き戸、片引きの引戸、引違の引戸、引分の引戸、片引きの吊戸、引違の吊戸、引分の吊戸、および、折戸等である。
【００２９】
・建具２０の種類は任意に変更可能である。変更可能な建具２０の例は、木製建具および金属製建具である。木製建具の例は和風建具および洋風建具である。和風建具の例は板戸、格子戸、障子、戸障子、および、襖である。洋風建具の例はフラッシュ戸、ガラス戸、および、ガラス障子である。金属製建具の例はフラッシュ戸、ガラス戸、ガラス障子、および、網戸である。
【００３０】
・建築物用コンポーネント１の設置箇所は任意に変更可能である。第１例では、第１室１１０と別の第１室１１０とを区画する壁１３０に建築物用コンポーネント１が設置される。第２例では、第２室１２０と別の第２室１２０とを区画する壁１３０に建築物用コンポーネント１が設置される。第３例では、第１室１１０および第２室１２０に該当しない第３室と第１室１１０または第２室１２０とを区画する壁１３０に建築物用コンポーネント１が設置される。第４例では、第３室と別の第３室とを区画する壁１３０に建築物用コンポーネント１が設置される。第４例では、建築物１００の屋内と建築物１００の屋外とを区画する壁１３０に建築物用コンポーネント１が設置される。建築物１００の屋内の一例は、第１室１１０、第２室１２０、または、第３室である。収納部３０は建築物１００の屋内に設置される。
【符号の説明】
【００３１】
１      ：建築物用コンポーネント
１０    ：枠
１１    ：縦枠
１２    ：上枠
１０Ａ  ：出入口
２０    ：建具
２１    ：第１面
２２    ：第２面
３０    ：収納部
３０Ａ  ：収納空間(空間)
３１    ：側壁
３２    ：上壁
３３    ：底壁
３４    ：背壁
３４Ａ  ：第１背面
３４Ｂ  ：第２背面
１００  ：建築物
１１０Ａ：第１空間
１２０Ａ：第２空間
【図１】
2019060069.tif 000003
【図２】
2019060069.tif 000004
【図３】
2019060069.tif 000005
【図４】
2019060069.tif 000006
【図５】
2019060069.tif 000007